(57)【要約】【課題】洗浄槽内の残菜回収部への洗浄水の流入経路を効果的に構築し、残菜の集積能力と乾燥性能を向上させた形状を持つ電熱器保護部品を備えた高性能な食器洗い機を提供する。【解決手段】本体４内部に設けられ被洗浄物１０を収納し内底部に水溜部７を有する洗浄槽６と、洗浄水を被洗浄物１０に噴射する洗浄ノズル９ａ、９ｂと、水溜部７に設けられ洗浄水を加熱する電熱器１２と、電熱器１２を保護する電熱器保護部品１と、洗浄槽６の内底部に設けられ残菜を回収する残菜回収部１３とを備え、電熱器保護部品１は、その天面２の上面を洗浄水を残菜回収部１３へ誘導する傾斜形状としたものであり、これにより残菜回収部１３への残菜の集積性能を向上させ、電熱器保護部品１の天面２の傾斜部により、天面２への水滴滞留を抑制し、乾燥性能を向上させた高品質な食器洗い機が実現可能となる。【選択図】図４
2012249823.tif 000002
【特許請求の範囲】
【請求項１】
被洗浄物を出し入れするための開口部を有する本体と、前記本体内部に設けられ被洗浄物を収納し内底部に水溜部を有する洗浄槽と、前記洗浄槽内に設けられ洗浄水を被洗浄物に噴射する洗浄ノズルと、前記水溜部に設けられ洗浄水を加熱する電熱器と、前記電熱器を保護する電熱器保護部品と、前記洗浄槽の内底部に設けられ被洗浄物から洗い落とされた残菜を回収する残菜回収部とを備え、前記電熱器保護部品は、その天面の上面を残菜を前記残菜回収部へ誘導する傾斜形状とした食器洗い機。
【請求項２】
前記電熱器保護部品は、その天面の上面を前記残菜回収部側が低くなる方向に傾斜させた請求項１に記載の食器洗い機。
【請求項３】
前記電熱器保護部品は、前記洗浄槽の内底部に位置あわせを行った状態で取着されるように構成した請求項１または２に記載の食器洗い機。
【請求項４】
前記電熱器保護部品は、その天面に複数の通水孔を設けた請求項１〜３のいずれか１項に記載の食器洗い機。
【請求項５】
前記洗浄槽内に空気を送る送風ファンと、前記送風ファンによって送られる空気を前記洗浄槽内に吹き出す送風口とを備え、前記電熱器保護部品は、少なくともその天面を板金で構成するとともに、前記天面の傾斜の高位置を前記送風口側に配した請求項１〜４のいずれか１項に記載の食器洗い機。
【請求項６】
前記電熱器保護部品および前記送風口は、前記送風口から前記洗浄槽内に吹き出される空気が前記電熱器保護部品の天面の下面に沿って送風されるよう構成した請求項５に記載の食器洗い機。
【発明の詳細な説明】
【技術分野】
【０００１】
本発明は、食器等を洗浄する食器洗い機に関する。より詳しくは、本発明は、食器洗い機の庫内の電熱器を覆う電熱器保護部品の形状構成に関する。
【背景技術】
【０００２】
従来この種の食器洗い機は、食器等の被洗浄物に付着した残菜等を集積するために、洗浄槽の底面の一部に残菜回収部を設けている。又、加熱洗浄を目的として水溜部に貯水した水を加熱するための電熱器を有し、当該電熱器に直接使用者が触れられないように電熱器保護部品を備えた構成としている（例えば、特許文献１参照）。
【０００３】
図６はこの種の一般的な食器洗い機を示したもので、以下、その構成について説明する。食器洗い機は食器等の被洗浄物１０を洗浄槽６の前面に設けた開口部５から洗浄槽６に収納し、開口部５を下扉体１４ａ、上扉体１４ｂにより閉塞してから、洗浄ポンプ８を運転し、洗浄ポンプ８によって加圧された洗浄水を洗浄ノズル９ａ、９ｂから噴射することにより、被洗浄物１０の洗浄及びすすぎ工程を行うように構成されている。
【０００４】
水溜部７には電熱器１２が備え付けられており、貯蓄された水を加熱し、当該高温水を利用して洗浄を行う。この際、電熱器１２を電熱器保護部品１で覆うことで、電熱器１２の温度が低下する前に使用者が触れることの無い構成としている。
【先行技術文献】
【特許文献】
【０００５】
【特許文献１】特開平１１−２８５４６５号公報
【発明の概要】
【発明が解決しようとする課題】
【０００６】
しかしながら、このような従来の食器洗い機では、前記電熱器保護部品１は電熱器１２を覆うことが主たる目的であることから、電熱器保護部品１の天面は水平に構成されており、残菜が電熱器保護部品１上に付着して残ったりして、洗浄水による残菜の集積においてはむしろ弊害となっていた。又、洗浄終了時に当該電熱器保護部品１の天面に水滴が滞留し、すすぎ工程の後に行われる乾燥工程での乾燥能力に悪影響を与えるという課題も有していた。
【０００７】
本発明は、上記従来の課題を解決するもので、残菜の集積能力を向上させると共に、電熱器保護部品の天面への水滴の滞留を抑制し乾燥性能を向上させた、高品質な食器洗い機を提供することを目的とする。
【課題を解決するための手段】
【０００８】
本発明は上記目的を達成するために、被洗浄物を出し入れするための開口部を有する本体と、前記本体内部に設けられ被洗浄物を収納し内底部に水溜部を有する洗浄槽と、前記洗浄槽内に設けられ洗浄水を被洗浄物に噴射する洗浄ノズルと、前記水溜部に設けられ洗浄水を加熱する電熱器と、前記電熱器を保護する電熱器保護部品と、前記洗浄槽の内底部に設けられ被洗浄物から洗い落とされた残菜を回収する残菜回収部とを備え、前記電熱器保護部品は、その天面の上面を残菜を前記残菜回収部へ誘導する傾斜形状とした食器洗い機である。
【０００９】
これにより、残菜の集積性能を向上させ、電熱器保護部品の天面への水滴滞留を抑制し
、乾燥性能を向上させた高品質な食器洗い機を実現可能とする。
【発明の効果】
【００１０】
本発明の食器洗い機によれば、残菜回収部への残菜の集積性能を向上させることが可能となる、同時にこれにより電熱器保護部品上への残菜の滞留を抑制し、電熱器加熱時の残菜の焦げ付きや、異臭を防ぐことが可能となる。又、保護部品の天面への水滴滞留を抑制し、乾燥性能を向上させた高品質な食器洗い機を提供することができる。
【図面の簡単な説明】
【００１１】
【図１】本発明の実施の形態１における食器洗い機の電熱器保護部品の側面図
【図２】本発明の実施の形態１における食器洗い機の電熱器保護部品の上面図
【図３】本発明の実施の形態１における食器洗い機の側断面図
【図４】本発明の実施の形態１における食器洗い機の洗浄槽底部の構成を示す断面図
【図５】本発明の実施の形態１における食器洗い機の洗浄槽底部の構成を示す上面図
【図６】従来の食器洗い機の側断面図
【発明を実施するための形態】
【００１２】
第１の発明は、被洗浄物を出し入れするための開口部を有する本体と、前記本体内部に設けられ被洗浄物を収納し内底部に水溜部を有する洗浄槽と、前記洗浄槽内に設けられ洗浄水を被洗浄物に噴射する洗浄ノズルと、前記水溜部に設けられ洗浄水を加熱する電熱器と、前記電熱器を保護する電熱器保護部品と、前記洗浄槽の内底部に設けられ被洗浄物から洗い落とされた残菜を回収する残菜回収部とを備え、前記電熱器保護部品は、その天面の上面を残菜を前記残菜回収部へ誘導する傾斜形状としたことにより、電熱器を保護しつつ、残菜回収部への残菜の集積性能を向上させた高品質な食器洗い機を実現できる。又、保護部品の天面への水滴滞留を抑制し、乾燥性能を向上させた高品質な食器洗い機を実現できる。
【００１３】
第２の発明は、上記第１の発明において、前記電熱器保護部品は、その天面の上面を前記残菜回収部側が低くなる方向に傾斜させたことにより、電熱器を保護しつつ、シンプルな形状で直接的に残菜を残菜回収部へ誘導し、残菜の集積性能を向上させることができる。又、保護部品の天面への水滴滞留を抑制し、乾燥性能を向上させた高品質な食器洗い機を実現できる。
【００１４】
第３の発明は、上記第１または第２の発明において、前記電熱器保護部品は、前記洗浄槽の内底部に位置あわせを行った状態で取着されるように構成したことにより、残菜回収部まで一つながりの洗浄水の流入経路を構成可能となり、各部位への残菜の詰まりを抑制する高品質な食器洗い機を実現できる。
【００１５】
第４の発明は、上記第１〜第３のいずれかの発明において、前記電熱器保護部品は、その天面に複数の通水孔を設けたことにより、水滴の落下を促進させ、天面への水滴の滞留を抑制することで乾燥性能を向上させた高品質な食器洗い機を実現できる。
【００１６】
第５の発明は、上記第１〜第４のいずれかの発明において、前記洗浄槽内に空気を送る送風ファンと、前記送風ファンによって送られる空気を前記洗浄槽内に吹き出す送風口とを備え、前記電熱器保護部品は、少なくともその天面を板金で構成するとともに、前記天面の傾斜の高位置を前記送風口側に配したことにより、板金で構成された電熱器保護部品の天面傾斜部に沿って送風することになり、従来より風の対流を効率的にすることを可能とし、乾燥時間を低減した高品質な食器洗い機を実現できる。
【００１７】
第６の発明は、上記第５の発明において、前記電熱器保護部品および前記送風口は、前
記送風口から前記洗浄槽内に吹き出される空気が前記電熱器保護部品の天面の下面に沿って送風されるよう構成したことにより、送風された空気を電熱器によって効率よく暖めるとともに、電熱器の冷却を効率的にすることを可能とし、乾燥性能を向上させた高品質な食器洗い機を実現できる。
【００１８】
以下、本発明の実施の形態について、図面を参照しながら説明する。なお、この実施の形態によって本発明が限定されるものではない。
【００１９】
（実施の形態１）
図１〜図５は、本発明の第１の実施の形態における食器洗い機の構成を示している。図３は、電熱器保護部品１が切断される位置における本発明の第１の実施の形態における食器洗い機の側断面図である。図３において、洗浄水を噴射して食器などの被洗浄物１０を洗浄する食器洗い機は、本体４内部に洗浄槽６が設けられている。また、本体４は前面部に被洗浄物１０を出し入れするための開口部５を有している。洗浄槽６の内部には、被洗浄物１０をセットする食器かご１６が開口部５から出し入れ可能に収納されている。食器かご１６は、洗浄槽６の下部に配置された下食器かご１６ａと洗浄槽６の上部に配置された上食器かご１６ｂとで構成されている。
【００２０】
開口部５は、扉体１４により開閉されるよう構成されている。扉体１４は、下扉体１４ａと上扉体１４ｂとを有している。下扉体１４ａと上扉体１４ｂは、扉体開閉機構（図示しない）によって可逆的に開閉動作されるように構成され、下扉体１４ａは、開口部５下端部で下支持軸１５ａにより回転自在に軸支され、開放初期においては開口部５に対してほぼ直角方向に前方に移動し、開口部５の前下方にその内面が上向き略水平となる位置まで開成する。上扉体１４ｂは、洗浄槽６の側壁で上支持軸１５ｂにより回転自在に軸支され、開放初期においては開口部５に対して直角方向やや上方に向けて前方に移動し、本体４上面に被さるように開成する。また、下扉体１４ａと上扉体１４ｂは、シール部材１７に当接することによって、開口部５を水密にシールして閉塞する。
【００２１】
洗浄槽６下部には、主に下食器かご１６ａにセットされた被洗浄物１０に洗浄水を噴射して洗浄する下洗浄ノズル９ａが設けられている。洗浄槽６上部には、主に上食器かご１６ｂにセットされた被洗浄物１０に洗浄水を噴射して洗浄する上洗浄ノズル９ｂが設けられている。又、洗浄槽６下方には、下洗浄ノズル９ａと上洗浄ノズル９ｂへ洗浄水を供給する洗浄ポンプ８が配置されている。
【００２２】
図４に示すように、洗浄槽６の内底部には被洗浄物１０から洗い落とされた残菜を回収する残菜回収部１３が設けられている。また、洗浄槽６の内底部には洗浄水を加熱する為の水溜部７が残菜回収部１３の側方に沿うように残菜回収部１３より一段高く設けられ、水溜部７には洗浄水加熱用の電熱器１２が備え付けられている。水溜部７の残菜回収部１３とは反対側の側部には、送風ファン（図示しない）によって送られる空気が吹き出す送風口１８が設けられている。
【００２３】
図４および図５に示すように、電熱器１２を保護する板金製の電熱器保護部品１が電熱器１２の上方を覆うように洗浄槽６の内底部に取着されている。この取着は、図１および図２に示すように、天面２から下方に折り曲げて形成した前後の側面に複数対設けたフック部１９を、水溜部７の前後側面に一体もしくは別体として設けた突起部（図示しない）に右側方から係合させた後、固定部２０で上方からビス固定して行われる。
【００２４】
この時、電熱器保護部品１の残菜回収部１３側の端部１ａは洗浄槽６の内底部に当接し、電熱器保護部品１の送風口１８側の端部１ｂは洗浄槽６の左側内底面６ａの内側端部に当接し、洗浄槽６の内底部から残菜回収部１３まで一つながりの洗浄水の流入経路を構成
するように位置あわせを行った状態で取着される。
【００２５】
送風口１８は、樹脂製もしくは板金製の送風カバー２１を洗浄槽６の左側内底面６ａに上方から固着することによって、電熱器保護部品１の残菜回収部１３側とは反対側の天面２上に形成され、この部分の天面２に形成された通水孔３（通気孔として作用する）を通じて空気が電熱器保護部品１の天面２の下方の水溜部７内に送り込まれる。なお、電熱器保護部品１は、送風口１８に対応する部分を切り欠いて構成してもよい。
【００２６】
電熱器保護部品１は電熱器１２の上方を覆っており、一方で残菜回収部１３の上方は覆っていない。電熱器保護部品１は板金で構成され、その天面２は傾斜形状を有し、送風口１８側に高位置を残菜回収部１３側に低位置を配している。すなわち、電熱器保護部品１の天面２は、上面、下面とも、送風口１８側から残菜回収部１３側に下る方向に傾斜している。
【００２７】
前記板金で構成された電熱器保護部品１の天面２には複数の長孔形状の通水孔３が設けられており、傾斜形状とした前記天面２は、傾斜の高位置を水溜部７周辺の洗浄槽６の左側内底面６ａと高さ位置を合わせて残菜回収部１３までの傾斜の流入経路を構成する。
【００２８】
なお、天面２の傾斜形状は残菜回収部１３側に低位置を設けたが、洗浄槽６の開口部５側の底面形状が洗浄水を残菜回収部１３に誘導する形状に構成されていれば、開口部５側に低位置を設けてもよい。又、天面２全体を一つの傾斜形状とする必要は無く、一つ若しくは複数の突起形状や屈曲部を設けて傾斜面を創設してもよい。
【００２９】
以上のように構成した本発明の食器洗い機の構成によれば、残菜を含む洗浄水を水溜部７周辺の洗浄槽６底面（左側内底面６ａ）から電熱器保護部品１の天面２の傾斜部に繋がり残菜回収部１３へと導く経路を構成することで、残菜の各箇所での滞留を抑制し、残菜の残菜回収部１３への集積性能を向上させることができる。
【００３０】
また、電熱器保護部品１を板金で構成することで、線材を格子状に組み合わせて構成したもの等より天面２の傾斜を有効に活用できる。具体的には残菜が電熱器保護部品１の天面２上を滑り易く、転がり易く、反面、電熱器保護部品１の内部へ落下し難い構成となり、残菜の集積能力をより高めることが可能となるとともに、乾燥工程においては、送風口１８から天面２の下方に送り込まれた空気を天面２の上方へ逃がすことが少なく、空気の加熱および電熱器１２の冷却を効率よく行うことができ、乾燥性能を向上させることが可能となる。
【００３１】
さらに、前記板金で構成された電熱器保護部品１の天面２の上面自身が傾斜形状となっている為、前記板金で構成された電熱器保護部品１の天面２上に残菜が滞留することを抑制し、電熱器１２加熱時の残菜の焦げ付きや異臭の発生等を回避できる。
【００３２】
又、傾斜形状とした天面２の傾斜の高位置を水溜部７周辺の洗浄槽６の底面（左側内底面６ａ）と高さ位置を合わせて取着する構成としたので、送風口１８側の水溜部７周辺の洗浄槽６底面から電熱器保護部品１の天面２の上面へと流れる洗浄水の流入経路が一つながりのスムーズな経路となり、各部位への残菜の詰まりを抑制することができる。
【００３３】
さらに、電熱器保護部品１を洗浄槽６の内底部に取着する際、側面に複数対設けたフック部１９を水溜部７の突起部に係合させるとともに、電熱器保護部品１の残菜回収部１３側の端部１ａは洗浄槽６の内底部に当接するようにして、洗浄槽６の内底部に位置あわせして取着する構成としたので、送風口１８側の水溜部７周辺の洗浄槽６底面から電熱器保護部品１の天面２の上面を経て残菜回収部１３へと流れる洗浄水の流入経路が一つながり
のスムーズな経路となり、各部位への残菜の詰まりを抑制することができる。
【００３４】
又、前記板金で構成された電熱器保護部品１の天面２の傾斜形状と通水孔３とにより、電熱器保護部品１の天面２上を流れる水滴を効率的に洗浄槽６底部へと落下させることが可能となり、前記天面２上への水滴の滞留を抑制することができる。
【００３５】
又、送風口１８から送風された風が、前記天面２の傾斜形状の下面に沿って流れ、電熱器１２のある下方に向かわせることで、効率的に電熱器１２を冷却することが可能となる。又、乾燥工程においては、同様に送風された風の対流も優位に導かれ、電熱器１２によって効率よく暖められることから、総じて乾燥性能を向上させることができる。
【００３６】
又、電熱器保護部品１が残菜回収部１３の上方を覆っていないので、電熱器保護部品１の天面２の上面を経由せずに残菜回収部１３に流れ込む洗浄水の流れを阻害することがなく、洗浄ポンプ８による洗浄水の循環効率を向上させることができる。さらに、電熱器保護部品１の天面２の上面を経由せずに残菜回収部１３に流れ込む洗浄水に含まれる残菜が、直接残菜回収部１３にて捕集されるので、総じて残菜の捕集効率を向上させることができる。
【００３７】
なお、本実施の形態では、電熱器保護部品１は板金を折り曲げて構成したが、必ずしも板金製である必要はなく、また、送風関係の効果に関しては、全体が板金製である必要はなく、少なくとも天面２が板金で構成されていれば、その効果を得ることができる。
【産業上の利用可能性】
【００３８】
以上のように、本発明にかかる食器洗い機は、残菜の集積性能が高く、乾燥性能が高い高品質な食器洗い機であり、卓上型食器洗い機に限らずビルトイン・業務用の食器洗浄機に適用できる。
【符号の説明】
【００３９】
１  電熱器保護部品
２  天面
３  通水孔
４  本体
５  開口部
６  洗浄槽
７  水溜部
８  洗浄ポンプ
９ａ  下洗浄ノズル（洗浄ノズル）
９ｂ  上洗浄ノズル（洗浄ノズル）
１０  被洗浄物
１２  電熱器
１３  残菜回収部
１４  扉体
１４ａ  下扉体
１４ｂ  上扉体
１５ａ  下支持軸
１５ｂ  上支持軸
１６  食器かご
１６ａ  下食器かご
１６ｂ  上食器かご
１７  シール部材
１８  送風口
２１  送風カバー
【図１】
2012249823.tif 000003
【図２】
2012249823.tif 000004
【図３】
2012249823.tif 000005
【図４】
2012249823.tif 000006
【図５】
2012249823.tif 000007
【図６】
2012249823.tif 000008